(57)【特許請求の範囲】
【請求項１】
洗い場を構成する洗い場用床パンと浴槽を載置する浴槽載置用床パンとが、浴槽載置用床パンの接合端縁が洗い場用床パンの接合端縁の上側になった状態で接合される浴室床パンの接合構造であって、洗い場用床パンの接合端縁の下部と浴槽載置用床パンの接合端縁の下部からそれぞれ第１の連結フレームを垂下させ、これら第１の連結フレームにそれぞれＬ字状の第２の連結フレームを、これら第２の連結フレームの水平部どうしが上下に重なり合うように取り付け、これら第２の連結フレームの水平部において固定具により締付固定することを特徴とする浴室床パンの接合構造。
【請求項２】
浴槽載置用床パンに取り付けられた第２の連結フレームの水平部が、洗い場用床パンに取り付けられた第２の連結フレームの水平部の上側になるように配置し、浴槽載置用床パンに取り付けられた第２の連結フレームの水平部には固定具を構成するネジが固定されるか又は挿通可能となっており、洗い場用床パンに取り付けられた第２の連結フレームの水平部にはそのネジと嵌合するコの字状の切欠を形成したことを特徴とする請求項１に記載の浴室床パンの接合構造。
【請求項３】
浴槽載置用床パンの接合端縁と洗い場用床パンの接合端縁が重なり合う部分にパッキンを介在させて接合が行われていることを特徴とする請求項１又は２に記載の浴室床パンの接合構造。
【請求項４】
浴槽載置用床パンの浴槽に対応する位置に点検口を設け、点検口より洗い場用床パンと浴槽載置用床パンの締付固定作業を行うことができ、点検口には点検口蓋が取付固定されるようになっていることを特徴とする請求項１から３のいずれかに記載の浴室床パンの接合構造。
【発明の詳細な説明】
【技術分野】
【０００１】
本願発明は、洗い場を構成する洗い場用床パンと浴槽を載置する浴槽載置用床パンを備えた浴室床パンの接合構造に関するものである。
【背景技術】
【０００２】
従来より、ユニットバスルームにおいて、洗い場を構成する洗い場用床パンと浴槽を載置する浴槽載置用床パンを備えた浴室床パンが設置されている。一般に、洗い場用床パンと浴槽載置用床パンは別々に製造され、一般に、施工の際に両者の接合が行われている。これまで、洗い場用床パンと浴槽載置用床パンの接合は、ビスを用いての機械固定が殆どであった。
【０００３】
図３、図４に、従来の浴室床パンの接合構造の二例の連結部を断面図で模式的に示す。これらの図において、３１は洗い場用床パン、３２は浴槽載置用床パン、３３はビス、３４は浴槽エプロンである。図３は、洗い場用床パン３１と浴槽載置用床パン３２の連結部において上下方向にてビス３３で連結される例であり、図４は、洗い場用床パン３１と浴槽載置用床パン３２の連結部において横方向にてビス３３で連結される例である。
【０００４】
このような接合構造は、浴槽載置用床パン３２を洗い場使用者から目隠しするための浴槽エプロン３４なる部材があって初めて成り立つ方式であった。浴槽エプロン３４により、ビス３３による連結部も隠すことができるからである。
【発明の開示】
【発明が解決しようとする課題】
【０００５】
しかしながら、上記のような従来の浴室床パンの接合構造では、浴槽エプロン３４があることで、ユニットバスルームの見た目が代わり映えのしないものとなっている一因ともなっていた。今後は、浴槽エプロンを設置せず、デザイン的にも斬新である図５に示すような浴室ユニットの実現が望まれる可能性が高い。図５において、４１はユニットバスルーム、４２は置き浴槽、４３は床、４４は壁、４５は湯水噴出部、４６は浴槽４２と壁４４を固定する固定部材である。
【０００６】
そこで、本願発明は、以上のとおりの事情に鑑みてなされたもので、浴槽エプロンを設置せず、デザイン的にも斬新であるユニットバスルームを実現する浴室床パンの接合構造を提供することを課題とする。
【課題を解決するための手段】
【０００７】
本願発明の浴室床パンの接合構造は、上記課題を解決するため、第１には、洗い場を構成する洗い場用床パンと浴槽を載置する浴槽載置用床パンとが、浴槽載置用床パンの接合端縁が洗い場用床パンの接合端縁の上側になった状態で接合される浴室床パンの接合構造であって、洗い場用床パンの接合端縁の下部と浴槽載置用床パンの接合端縁の下部からそれぞれ第１の連結フレームを垂下させ、これら第１の連結フレームにそれぞれＬ字状の第２の連結フレームを、これら第２の連結フレームの水平部どうしが上下に重なり合うように取り付け、これら第２の連結フレームの水平部において固定具により締付固定することを特徴とする。
【０００８】
また、第２には、上記第１の発明において、浴槽載置用床パンに取り付けられた第２の連結フレームの水平部が、洗い場用床パンに取り付けられた第２の連結フレームの水平部の上側になるように配置し、浴槽載置用床パンに取り付けられた第２の連結フレームの水平部には固定具を構成するネジが固定されるか又は挿通可能となっており、洗い場用床パンに取り付けられた第２の連結フレームの水平部にはそのネジと嵌合するコの字状の切欠を形成したことを特徴とする。
【０００９】
また、第３には、上記第１又は第２の発明において、浴槽載置用床パンの接合端縁と洗い場用床パンの接合端縁が重なり合う部分にパッキンを介在させて接合が行われていることを特徴とする。
【００１０】
さらに、第４には、上記第１から第３のいずれかの発明において、浴槽載置用床パンの浴槽に対応する位置に点検口を設け、点検口より洗い場用床パンと浴槽載置用床パンの締付固定作業を行うことができ、点検口には点検口蓋が取付固定されるようになっていることを特徴とする。
【発明の効果】
【００１１】
本願請求項１の発明によれば、浴槽エプロンを設置せず、デザイン的にも斬新であるユニットバスルームを実現することが可能となる。
【００１２】
本願請求項２の発明によれば、上記効果に加え、第１の連結フレームや第２の連結フレームの製造上の誤差が容易に吸収可能となるため、洗い場用床パンと浴槽載置用床パンの接合作業を精度よく行うことができる。
【００１３】
本願請求項３の発明によれば、上記効果に加え、止水効果をより高めることができる。
【００１４】
本願請求項４の発明によれば、上記効果に加え、洗い場用床パンと浴槽載置用床パンの現場での接合作業をより容易に行うことができる。
【発明を実施するための最良の形態】
【００１５】
本願発明は上記のとおりの特徴をもつものであるが、以下にその実施の形態について説明する。
【００１６】
図１、図２は、本願発明の一実施形態に係る浴室床パンの接合構造の連結部をそれぞれ断面図、平面図で模式的に示したものである。この浴室床パンの接合構造は浴槽エプロンを設置しないタイプのものである。
【００１７】
本実施形態の浴室床パン１は、図１、図２に示すように、洗い場用床パン２と、浴槽４を載置する浴槽載置用床パン３とを接合して構成される。本実施形態の浴室床パン１は、実現場での施工時に有利な施工方式を踏襲し、先に洗い場用床パン２を設置し、その後に浴槽載置用床パン３を設置するようになっている。洗い場用床パン２と浴槽載置用床パン３には、合成樹脂や金属等の従来から使用されている各種材料を用いることができる。
【００１８】
洗い場用床パン２は、その接合端縁２Ａが鍔状に形成され、浴槽載置用床パン３側にせり出している。浴槽載置用床パン３は、その接合端縁３Ａが同じく鍔状に形成され、接合端縁３Ａが接合端縁２Ａの上側になるように配置される。洗い場用床パン２の接合端縁２Ａの下部と浴槽載置用床パン３の接合端縁３Ａの下部にはＬ金具５、６がそれぞれ垂下して取り付けられている。これらＬ金具５、６は例えばインサート成形などの方法により接合端縁２Ａ、３Ａの所定部位に取り付けれる。Ｌ金具５の水平部５ａは接合端縁２Ａと平行且つ水平方向に配置され、垂直部５ｂは鉛直方向に垂下している。Ｌ金具６の垂直部６ｂは鉛直方向に垂下し、水平部６ａは垂直部６ｂの下端から洗い場用床パン２の反対側に向けて水平方向に配置されている。Ｌ金具５の垂直部５ｂとＬ金具６の垂直部６ｂは所定距離だけ離間して配置されている。Ｌ金具５の垂直部５ｂには別のＬ金具７がその垂直部７ｂにおいてビス９により取り付けられている。Ｌ金具６の垂直部６ｂには別のＬ金具８がその垂直部８ｂにおいてビス１０により取り付けられている。Ｌ金具８の水平部８ａはＬ金具７の水平部７ａの上側に位置し、Ｌ金具８の水平部８ａにはビス１１が固定されている。一方、Ｌ金具７の水平部７ａには上側から見るとコの字状の切欠１２が形成され、ビス１１が切欠１２と嵌合するようになっている。切欠１２はＬ金具製造時の誤差を吸収する役割も行う。ビス１１にはナット１３が螺合する。接合端縁３Ａと接合端縁２Ａの間にはパッキン１４を介在させ、止水効果の向上を図っている。Ｌ金具５〜８を用いた連結箇所の数は、洗い場用床パン２と浴槽載置用床パン３との接合長さ（接合端縁２Ａ、３Ａの長さ）に応じて適宜の数とすることができる。
【００１９】
一方、浴槽載置用床パン３の浴槽４に対応する部分には、点検口１５が設けられ、この点検口１５を利用して、洗い場用床パン２と浴槽載置用床パン３の接合作業が行えるようになっている。点検口１５には点検口蓋１６が取付固定され、浴槽４の設置後には洗い場使用者からは見えないようになっている。
【００２０】
次に、本実施形態の浴室床パン１の接合構造の施工について述べる。
【００２１】
まず、実現場のユニットバスルームにおいて洗い場用床パン２を設置する。Ｌ金具５に対するＬ金具７の取付はこの設置時に行ってもよいし、前もって行ってもよい。
【００２２】
次に、浴槽載置用床パン３を設置するが、その前にＬ金具８をＬ金具６に取り付けておく。そして、洗い場用床パン２の接合端縁２Ａと浴槽載置用床パン３の接合端縁３Ａの間にパッキン１４を介在させ、接合端縁３Ａが接合端縁２Ａの上になるように位置決めし、且つＬ金具６に固定されたビス１１がＬ金具７に形成された切欠１２に嵌合するにように浴槽載置用床パン３を上から設置する。その後、点検口１５より手を入れてナット１３をビス１１に螺合させる。するとＬ金具８とＬ金具７が締め付けられ、同時にパッキン１４を介して浴槽載置用床パン３の接合端縁３Ａが洗い場用床パン２の接合端縁２Ａの押し付けられ、良好な止水効果を持って接合構造が形成される。
【００２３】
その後、点検口１５に点検口蓋１６を取り付け、さらに浴槽４を載置固定することにより、施工が完了する。
【００２４】
以上、本願発明を一実施形態に基づいて説明したが、もちろん本願発明は上記実施形態に限定されるものではなく、種々の変形、変更が可能である。
【００２５】
例えば、上記実施形態では、第１及び第２の連結フレームとしてＬ金具５、６、７、８を用いたが、本願発明によれば、別の形態の連結具を用いてもよい。
【００２６】
また、上記実施形態では、Ｌ金具７、８の締付固定にビス１１とナット１３を用いたが、本願発明によれば、両者の締付固定が可能な各種固定具を使用することができる。
【００２７】
さらに、本願発明によれば、施工の手順を上記実施形態の場合と異ならせて行うこともできる。
【図面の簡単な説明】
【００２８】
【図１】本願発明の一実施形態に係る浴室床パンの接合構造の連結部を模式的に示す断面図である。
【図２】同上実施形態に係る浴室床パンの接合構造の連結部を模式的に示す平面図である。
【図３】従来の浴室床パンの接合構造の一例の連結部を模式的に示す断面図である。
【図４】従来の浴室床パンの接合構造の別例の連結部を模式的に示す断面図である。
【図５】浴槽エプロンを設けない浴槽が載置されたユニットバスルームを模式的に示す斜視図である。
【符号の説明】
【００２９】
１    浴室床パン
２    洗い場用床パン
２Ａ    接合端縁
３    浴槽載置用床パン
３Ａ  接合端縁
４    浴槽
５、６、７、８    Ｌ金具
５ａ、６ａ、７ａ、８ａ    水平部
５ｂ、６ｂ、７ｂ、８ｂ    垂直部
９、１０、１１    ビス
１２    切欠
１３    ナット
１４    パッキン
１５    点検口
１６    点検口蓋
【図１】
0004742236.tif 000002
【図２】
0004742236.tif 000003
【図３】
0004742236.tif 000004
【図４】
0004742236.tif 000005
【図５】
0004742236.tif 000006